【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
メイン基板とサブ基板とを備え、前記メイン基板と前記サブ基板との間では前記メイン基板から前記サブ基板への単方向通信のみが可能に構成されている遊技機であって、
前記メイン基板が、
複数種類の役の当否を決定する内部抽選を行う内部抽選手段と、
外周面に複数種類の図柄が配列されている複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
特別演出状態を含む複数種類の演出状態の間で演出状態を移行させ、前記特別演出状態では予め定められた特別演出状態の終了条件が成立した場合に当該特別演出状態を終了させる特別演出状態制御手段と、
通常区間と有利区間とを含む複数種類の遊技区間の間で遊技区間を移行させ、前記有利区間においてクリアカウンタの値を更新して前記クリアカウンタの値に基づいて前記有利区間を終了させて演出状態を初期化する初期化処理を実行する初期化手段と、
内部抽選が行われたことを契機として内部抽選の結果に関する情報を通知する内部抽選信号をサブ基板に対して送信する制御を行う通信制御手段とを備え、
前記サブ基板が、
演出状態が前記特別演出状態である場合に所定の役の入賞を補助する入賞補助演出を演出装置に実行させる制御を行う演出制御手段を備え、
前記内部抽選手段が、
特定役を含む複数種類の役が重複して当選する複数種類の特定当選態様が存在するように内部抽選を行い、
前記リール制御手段が、
内部抽選で前記複数種類の特定当選態様のいずれかが得られた遊技において、前記特定当選態様の種類に応じた特定操作態様で停止操作が行われた場合には、前記特定役が入賞し、前記特定操作態様とは異なる操作態様で停止操作が行われた場合には、前記特定役が入賞しないように回転中のリールを停止させる制御を行い、
前記特別演出状態制御手段が、
前記有利区間である場合に限って前記特別演出状態に滞在可能とし、
前記初期化手段が、
前記通常区間において遊技区間を前記有利区間に移行させることが決定されたことに基づいて遊技区間を前記有利区間に移行させ、前記初期化処理を行う場合に、演出状態が前記特別演出状態である場合には前記特別演出状態の終了条件が成立していなくても当該特別演出状態を終了させ、
前記通信制御手段が、
前記通常区間において内部抽選で前記複数種類の特定当選態様のいずれかが得られた場合に、前記内部抽選信号として、内部抽選で前記複数種類の特定当選態様のいずれかが得られたことを通知する信号を前記サブ基板に送信する制御と、
前記特別演出状態において内部抽選で前記複数種類の特定当選態様のいずれかが得られた場合に、前記内部抽選信号として、内部抽選の結果を通知する内部抽選結果信号を前記サブ基板に送信する制御とを行い、
前記演出制御手段が、
前記特別演出状態において内部抽選で前記複数種類の特定当選態様のいずれかが得られた場合に、前記メイン基板から送信された前記内部抽選結果信号に基づいて、前記特定当選態様の種類に応じた特定操作態様を報知して前記特定役の入賞を補助する入賞補助演出を演出装置に実行させることを特徴とする遊技機。
【請求項２】
メイン基板とサブ基板とを備え、前記メイン基板と前記サブ基板との間では前記メイン基板から前記サブ基板への単方向通信のみが可能に構成されている遊技機であって、
前記メイン基板が、
複数種類の役の当否を決定する内部抽選を行う内部抽選手段と、
外周面に複数種類の図柄が配列されている複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
特別演出状態を含む複数種類の演出状態の間で演出状態を移行させ、前記特別演出状態では予め定められた特別演出状態の終了条件が成立した場合に当該特別演出状態を終了させる特別演出状態制御手段と、
通常区間と有利区間とを含む複数種類の遊技区間の間で遊技区間を移行させ、前記有利区間においてクリアカウンタの値を更新して前記クリアカウンタの値に基づいて前記有利区間を終了させて演出状態を初期化する初期化処理を実行する初期化手段と、
内部抽選が行われたことを契機として内部抽選の結果に関する情報を通知する内部抽選信号をサブ基板に対して送信する制御を行う通信制御手段とを備え、
前記サブ基板が、
演出状態が前記特別演出状態である場合に所定の役の入賞を補助する入賞補助演出を演出装置に実行させる制御を行う演出制御手段を備え、
前記内部抽選手段が、
特定役を含む複数種類の役が重複して当選する複数種類の特定当選態様が存在するように内部抽選を行い、
前記リール制御手段が、
内部抽選で前記複数種類の特定当選態様のいずれかが得られた遊技において、前記特定当選態様の種類に応じた特定操作態様で停止操作が行われた場合には、前記特定役が入賞し、前記特定操作態様とは異なる操作態様で停止操作が行われた場合には、前記特定役が入賞しないように回転中のリールを停止させる制御を行い、
前記特別演出状態制御手段が、
前記有利区間である場合に限って前記特別演出状態に滞在可能とし、
前記初期化手段が、
前記通常区間において遊技区間を前記有利区間に移行させることが決定されたことに基づいて遊技区間を前記有利区間に移行させ、前記初期化処理を行う場合に、演出状態が前記特別演出状態である場合には前記特別演出状態の終了条件が成立していなくても当該特別演出状態を終了させ、
前記通信制御手段が、
前記通常区間において内部抽選で前記複数種類の特定当選態様のいずれかが得られた場合に、前記内部抽選信号として、内部抽選で前記複数種類の特定当選態様のいずれかが得られたことを通知する信号を前記サブ基板に送信する制御と、
前記有利区間において内部抽選で前記複数種類の特定当選態様のいずれかが得られた場合に、前記特定当選態様の種類に応じた特定操作態様を通知する特定操作態様信号を前記サブ基板に送信する制御とを行い、
前記演出制御手段が、
前記特別演出状態において内部抽選で前記複数種類の特定当選態様のいずれかが得られた場合に、前記メイン基板から送信された前記特定操作態様信号に基づいて、前記特定当選態様の種類に応じた特定操作態様を報知して前記特定役の入賞を補助する入賞補助演出を演出装置に実行させることを特徴とする遊技機。
【請求項３】
メイン基板とサブ基板とを備え、前記メイン基板と前記サブ基板との間では前記メイン基板から前記サブ基板への単方向通信のみが可能に構成されている遊技機であって、
前記メイン基板が、
複数種類の役の当否を決定する内部抽選を行う内部抽選手段と、
外周面に複数種類の図柄が配列されている複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
特別演出状態を含む複数種類の演出状態の間で演出状態を移行させ、前記特別演出状態では予め定められた特別演出状態の終了条件が成立した場合に当該特別演出状態を終了させる特別演出状態制御手段と、
通常区間と有利区間とを含む複数種類の遊技区間の間で遊技区間を移行させ、前記有利区間においてクリアカウンタの値を更新して前記クリアカウンタの値に基づいて前記有利区間を終了させて演出状態を初期化する初期化処理を実行する初期化手段と、
内部抽選が行われたことを契機として内部抽選の結果に関する情報を通知する内部抽選信号をサブ基板に対して送信する制御を行う通信制御手段とを備え、
前記サブ基板が、
演出状態が前記特別演出状態である場合に所定の役の入賞を補助する入賞補助演出を演出装置に実行させる制御を行う演出制御手段を備え、
前記内部抽選手段が、
特定役を含む複数種類の役が重複して当選する複数種類の特定当選態様が存在するように内部抽選を行い、
前記リール制御手段が、
内部抽選で前記複数種類の特定当選態様のいずれかが得られた遊技において、前記特定当選態様の種類に応じた特定操作態様で停止操作が行われた場合には、前記特定役が入賞し、前記特定操作態様とは異なる操作態様で停止操作が行われた場合には、前記特定役が入賞しないように回転中のリールを停止させる制御を行い、
前記特別演出状態制御手段が、
前記有利区間である場合に限って前記特別演出状態に滞在可能とし、
前記初期化手段が、
前記通常区間において遊技区間を前記有利区間に移行させることが決定されたことに基づいて遊技区間を前記有利区間に移行させ、前記初期化処理を行う場合に、演出状態が前記特別演出状態である場合には前記特別演出状態の終了条件が成立していなくても当該特別演出状態を終了させ、
前記通信制御手段が、
内部抽選で前記複数種類の特定当選態様のいずれかが得られた場合に、前記通常区間では前記特定当選態様の種類に応じた特定操作態様を通知する特定操作態様信号を前記サブ基板に送信しない一方で、前記有利区間では前記特定操作態様信号を前記サブ基板に送信する制御を行い、
前記演出制御手段が、
前記特別演出状態において内部抽選で前記複数種類の特定当選態様のいずれかが得られた場合に、前記メイン基板から送信された前記特定操作態様信号に基づいて、前記特定当選態様の種類に応じた特定操作態様を報知して前記特定役の入賞を補助する入賞補助演出を演出装置に実行させることを特徴とする遊技機。